(57)【特許請求の範囲】
【請求項１】
電気的な接続のための外部リードを有する電気光学部品と、
前記外部リードがはんだ付けされた回路基板と、
前記電気光学部品と前記回路基板を接着する接着部と、
前記電気光学部品と前記回路基板を前記接着部よりも強固に固定するように、前記回路基板を貫通して前記電気光学部品の底面に締結する固定部と、
を有し、
前記固定部は、前記接着部よりも前記外部リードのはんだ付けされる部分から離れて設けられ、
前記接着部の少なくとも一部は、前記固定部よりも前記外部リードのはんだ付けされる前記部分に近い位置に設けられることを特徴とする光トランシーバ。
【請求項２】
請求項１に記載された光トランシーバにおいて、
前記接着部は、前記電気光学部品の底面に貼り付けられ、
前記外部リードは、前記電気光学部品の前記底面から上方に立ち上がる側面から延出して、前記底面の外側ではんだ付けされることを特徴とする光トランシーバ。
【請求項３】
請求項２に記載された光トランシーバにおいて、
前記電気光学部品の前記底面は、前記外部リードの根元の直下に隣接する領域を含み、
前記領域に前記接着部の少なくとも一部が設けられ、
前記領域を避けて前記固定部が設けられることを特徴とする光トランシーバ。
【請求項４】
電気的な接続のための外部リードを有する電気光学部品と、
前記外部リードがはんだ付けされた回路基板と、
前記電気光学部品と前記回路基板を接着する接着部と、
前記電気光学部品と前記回路基板を前記接着部よりも強固に固定する複数の固定部と、
を有し、
前記複数の固定部は、前記接着部よりも前記外部リードのはんだ付けされる部分から離れて設けられ、
前記接着部の少なくとも一部は、前記複数の固定部よりも前記外部リードのはんだ付けされる前記部分に近い位置に設けられ、
前記接着部は、前記電気光学部品の底面に貼り付けられ、
前記外部リードは、前記電気光学部品の前記底面から上方に立ち上がる側面から延出して、前記底面の外側ではんだ付けされ、
前記電気光学部品の前記底面は、前記外部リードの根元の直下に隣接する領域を含み、
前記領域に前記接着部の少なくとも一部が設けられ、
前記領域を避けて前記固定部が設けられ、
前記複数の固定部の全てを頂点又は内側に配置する最小面積の多角形が、前記外部リードの前記根元の直下に隣接する前記領域を避けて位置することを特徴とする光トランシーバ。
【請求項５】
電気的な接続のための外部リードを有する電気光学部品と、
前記外部リードがはんだ付けされた回路基板と、
前記電気光学部品と前記回路基板を接着する接着部と、
前記電気光学部品と前記回路基板を前記接着部よりも強固に固定する固定部と、
前記電気光学部品、前記回路基板及び前記接着部を収容するケースと、
を有し、
前記固定部は、前記接着部よりも前記外部リードのはんだ付けされる部分から離れて設けられ、
前記接着部の少なくとも一部は、前記固定部よりも前記外部リードのはんだ付けされる前記部分に近い位置に設けられ、
前記ケースは、上ケース及び下ケースを含み、
前記回路基板の周縁部が、前記上ケース及び前記下ケースに挟まれて配置されることを特徴とする光トランシーバ。
【請求項６】
請求項５に記載された光トランシーバにおいて、
前記固定部は、前記下ケースと前記回路基板の固定も兼ねることを特徴とする光トランシーバ。
【請求項７】
請求項１から４のいずれか１項に記載された光トランシーバにおいて、
前記電気光学部品、前記回路基板及び前記接着部を収容するケースをさらに有し、
前記ケースは、上ケース及び下ケースを含み、
前記固定部は、前記下ケースと前記回路基板の固定も兼ねることを特徴とする光トランシーバ。
【請求項８】
請求項１から７のいずれか１項に記載された光トランシーバにおいて、
前記固定部は、ネジを含むことを特徴とする光トランシーバ。
【請求項９】
請求項１から８のいずれか１項に記載された光トランシーバにおいて、
前記接着部は、両面接着テープであることを特徴とする光トランシーバ。
【発明の詳細な説明】
【技術分野】
【０００１】
本発明は、光トランシーバに関する。
【背景技術】
【０００２】
回路基板に実装される電気光学部品は、光学的な接続部の他に電気的な接続部（例えば外部リード）を有している。外部リードは、通常、回路基板にはんだ付けされる。また、光トランシーバでは、電気光学部品を回路基板や筺体にねじで局所的に締結することが多い。
【０００３】
光トランシーバは、その使用環境により、振動・熱など様々な影響を受けるが、特に振動は、回路基板や電気光学部品に伝達され、外部リードのはんだ付け部に悪影響を及ぼす。特に、固有振動時は、回路基板と電気光学部品が乖離または外部リードを圧縮する動きをとる振動モードがあるため影響が大きい。
【０００４】
この問題に対して、特許文献１には、電子部品の外部リードの中間に形成された保持部を基板にはんだ付けして、先端にある導通部のはんだ付け部にかかる応力を抑制する方法が開示されている。また、特許文献２には、電子部品の外部リードを立体的形状にすることで、発生する振動を外部リードのばね性で減衰させる方法が開示されている。
【先行技術文献】
【特許文献】
【０００５】
【特許文献１】特開平８−２７９５７９号公報
【特許文献２】特開２０００−２２３８１２号公報
【発明の概要】
【発明が解決しようとする課題】
【０００６】
しかしながら、特許文献１に記載された技術は、外部リードを保持部で折り返すために、外部リードの成形が単純な成形法では困難である。また、外部リード自体の長さも長くする必要があり、実用的ではなかった。また、特許文献２に記載された技術は、外部リードの成形を必要とし、汎用的ではなかった。
【０００７】
本発明は、上記課題に鑑みてなされたものであり、電気光学部品の外部リードと回路基板との電気的接続部に発生する応力を抑制する光トランシーバを提供することを目的とする。
【課題を解決するための手段】
【０００８】
（１）本発明に係る光トランシーバは、電気的な接続のための外部リードを有する電気光学部品と、前記外部リードがはんだ付けされた回路基板と、前記電気光学部品と前記回路基板を接着する接着部と、前記電気光学部品と前記回路基板を前記接着部よりも強固に固定する固定部と、を有し、前記固定部は、前記接着部よりも前記外部リードのはんだ付けされる部分から離れて設けられ、前記接着部の少なくとも一部は、前記固定部よりも前記外部リードのはんだ付けされる前記部分に近い位置に設けられることを特徴とする。本発明によれば、強固に固定する固定部を支点として回路基板が撓むので、支点の近くでは撓みによって大きな応力が生じる。
【０００９】
（２）（１）に記載された光トランシーバにおいて、前記接着部は、前記電気光学部品の底面に貼り付けられ、前記外部リードは、前記電気光学部品の前記底面から上方に立ち上がる側面から延出して、前記底面の外側ではんだ付けされることを特徴としてもよい。
【００１０】
（３）（２）に記載された光トランシーバにおいて、前記電気光学部品の前記底面は、前記外部リードの根元の直下に隣接する領域を含み、前記領域に前記接着部の少なくとも一部が設けられ、前記領域を避けて前記固定部が設けられることを特徴としてもよい。
【００１１】
（４）（３）に記載された光トランシーバにおいて、複数の前記固定部を有し、前記複数の前記固定部の全てを頂点又は内側に配置する最小面積の多角形が、前記外部リードの前記根元の直下に隣接する前記領域を避けて位置することを特徴としてもよい。
【００１２】
（５）（１）から（４）のいずれか１項に記載された光トランシーバにおいて、前記電気光学部品、前記回路基板及び前記接着部を収容するケースをさらに有し、前記ケースは、上ケース及び下ケースを含み、前記回路基板の周縁部が、前記上ケース及び前記下ケースに挟まれて配置されることを特徴としてもよい。
【００１３】
（６）（５）に記載された光トランシーバにおいて、前記固定部は、前記下ケースと前記回路基板の固定も兼ねることを特徴としてもよい。
【００１４】
（７）（１）から（４）のいずれか１項に記載された光トランシーバにおいて、前記電気光学部品、前記回路基板及び前記接着部を収容するケースをさらに有し、前記ケースは、上ケース及び下ケースを含み、前記固定部は、前記下ケースと前記回路基板の固定も兼ねることを特徴としてもよい。
【００１５】
（８）（１）から（７）のいずれか１項に記載された光トランシーバにおいて、前記固定部は、ネジを含むことを特徴としてもよい。
【００１６】
（９）（１）から（８）のいずれか１項に記載された光トランシーバにおいて、前記接着部は、両面接着テープであることを特徴としてもよい。
【図面の簡単な説明】
【００１７】
【図１】本発明の実施形態に係る光トランシーバの分解斜視図である。
【図２】電気光学部品の底面斜視図である。
【図３】回路基板の上面図である。
【図４】本発明の実施形態の変形例に係る光トランシーバの分解斜視図である。
【発明を実施するための形態】
【００１８】
以下、本発明の実施形態について図面を参照して説明する。
【００１９】
図１は、本実施形態に係る光トランシーバの分解斜視図である。図２は、電気光学部品の底面斜視図である。図３は、回路基板の上面図である。
【００２０】
光トランシーバは、電気光学部品１０を有する。電気光学部品１０の一例である光変調器（例えばＬＮ変調器）は変調光を出力する。電気光学部品１０は、高速かつ長距離光伝送に必要な大型光デバイスである。電気光学部品１０は、電気的な接続のための外部リード１２を有する。外部リード１２は、単純な屈曲により形成されている。外部リード１２は、電気光学部品１０の底面１４（図２参照）から上方に立ち上がる側面１６から延出している。外部リード１２（詳しくはその先端部）は、電気光学部品１０の底面１４の外側ではんだ付けされる。電気光学部品１０の底面１４は、外部リード１２の根元の直下に隣接する領域１８を含む。また、電気光学部品１０の底面１４には、取付用のねじ穴２０が設けられている。
【００２１】
光トランシーバは、回路基板２２を有する。回路基板２２は、たとえばガラスエポキシ樹脂からなる基板と、基板上に形成された図示しない配線パターンと、を含む。回路基板２２上には、図示しない光学部品や電子部品が搭載されている。回路基板２２（詳しくは図示しない配線パターン）に、外部リード１２がはんだ付けされる。図３に示すように、回路基板２２には、電気光学部品１０とのねじ締結用の孔２４ａが形成されている。回路基板２２は、上ケース３２とのねじ締結に使用される孔２４ｂと、上ケース３２及び下ケース３４のねじ締結に使用される孔（又は切り欠き）２４ｃも有する。
【００２２】
光トランシーバは、図１に示すように、電気光学部品１０と回路基板２２を接着する接着部２６を有する。接着部２６は、電気光学部品１０の底面１４に貼り付けられる。外部リード１２の根元の直下に隣接する領域１８に接着部２６の少なくとも一部が設けられている。接着部２６は、両面接着テープである。両面接着テープは、たとえば、基材が不織布からなり、基材両面にアクリル系粘着剤を有する。
【００２３】
光トランシーバは、電気光学部品１０と回路基板２２を接着部２６よりも強固に固定する複数の固定部２８を有する。固定部２８は局所的に設けられる。固定部２８は、ネジ２８ａ及びねじ穴２０（図２参照）を含む。ネジ２８ａを回路基板２２の孔２４ａ（図３参照）に通して、電気光学部品１０のねじ穴２０に締結する。固定部２８は、外部リード１２の根元の直下に隣接する領域１８を避けて設けられる。図２に示すように、複数の固定部２８の全てが頂点又は内側に位置する最小面積の多角形Ｐを描いたときに、この多角形Ｐは、外部リード１２の根元の直下に隣接する領域１８を避けて位置する。
【００２４】
固定部２８は、接着部２６よりも外部リード１２のはんだ付けされる部分（例えば先端部）から離れて設けられている。そして、接着部２６の少なくとも一部は、固定部２８よりも外部リード１２のはんだ付けされる部分に近い位置に設けられる。
【００２５】
本実施形態によれば、強固に固定する固定部２８を支点として回路基板２２が撓むので、支点の近くでは撓みによって大きな応力が生じる。
【００２６】
光トランシーバは、電気光学部品１０、回路基板２２及び接着部２６を収容するケース３０を有する。言い換えると、ケース３０は、種々の部品（電気光学部品１０など）を収納するための内部空間を有する。ケース３０は、その内部空間に収納される部品を保護する役割を果たす。ケース３０は、たとえばアルミニウムからなる。ケース３０は、上ケース３２及び下ケース３４を含む。上ケース３２には、回路基板２２がネジ２８ｂで固定される。ネジ２８ｂは回路基板２２の孔２４ｂ（図３参照）を通る。上ケース３２と下ケース３４は、ネジ２８ｃで固定される。ネジ２８ｃは、回路基板２２の周縁部２２ａ（図３参照）を貫通するネジと、回路基板２２の中央部（周縁部２２ａを除く部分）を貫通するネジとを含む。なお、回路基板２２は、下ケース３４にはねじ止めされていないが、図３に示すように、回路基板２２の周縁部２２ａが、上ケース３２及び下ケース３４に挟まれることでケース３０に挟持される。
【００２７】
［変形例］
図４は、本発明の実施形態の変形例に係る光トランシーバの分解斜視図である。上述した実施形態（図１参照）では、４つのネジ２８ａが回路基板２２を貫通して電気光学部品１０と回路基板２２を固定している。これに対して、図４に示す本変形例では、少なくとも１つの固定部１２８は、下ケース１３４と回路基板１２２の固定も兼ねる。すなわち、電気光学部品１１０を固定するネジ１２８ａは、下ケース１３４及び回路基板１２２を貫通して、電気光学部品１１０と下ケース１３４を固定しており、両者間に回路基板１２２が挟まれる。
【００２８】
なお、本発明は、上記実施形態に限定されるものではなく種々の変形が可能である。また上記実施形態で説明した構成は、実質的に同一の構成、同一の作用効果を奏する構成または同一の目的を達成することができる構成で置き換えることができる。たとえば、上記実施形態では、電気光学部品１０（光変調器）は直方体だが、円柱状のものを採用してもよい。
【符号の説明】
【００２９】
Ｐ  多角形、１０  電気光学部品、１２  外部リード、１４  底面、１６  側面、１８  領域、２０  ねじ穴、２２  回路基板、２２ａ  周縁部、２４ａ  孔、２４ｂ  孔、２４ｃ  孔、２６  接着部、２８  固定部、２８ａ  ネジ、２８ｂ  ネジ、２８ｃ  ネジ、３０  ケース、３２  上ケース、３４  下ケース、１１０  電気光学部品、１２２  回路基板、１２８  固定部、１２８  ネジ、１３４  下ケース。
【図１】
0005535033.tif 000002
【図２】
0005535033.tif 000003
【図３】
0005535033.tif 000004
【図４】
0005535033.tif 000005